(57)【要約】      （修正有）【課題】消費者が容易に木炭を使用出来るようにして、日本間や洋間でも使用可能とする木炭セットを提供する。【解決手段】木炭セットを封入した、袋の一番下においた炭化藁灰２は消し炭５あるいは端（粒）炭４が混入した場合でも空気の入った袋に封入しその上に封入した複数の柱状木炭に粉砕されないよう、次に束ねあるいは縛った複数の柱状木炭３はそのままあるいは木炭の粉が飛ばないようにまた異臭や湿気を吸引しないように空気入りの袋にあるいは束ねないあるいは縛らない木炭でも動かないように真空の袋に封入し、そして端（粒）炭４はバラバラにならないようまた袋等を傷つけないように空気入りあるいは真空の袋に封入し、消し炭５は粉砕されないように空気入りの袋に封入し、封入の順番を固定する方法。【選択図】図１
2013147625.tif 000002
【特許請求の範囲】
【請求項１】
炉で、木炭に着火するとき、炉の珪藻土あるいは木灰またはその混合物の灰の上に炭化藁灰を敷き、その上に複数の柱状の木炭を立てその上に端（粒）炭をのせ、さらにその上に消し炭を乗せ、消し炭に着火する。そして十分に着火したところで炭化藁灰をかぶせる。
輸送中やハンドリング中に、木炭セットを封入した袋内で、木炭セットの構成物が動きまた振動しまた構成物が相互に影響を受けないように、同時に他の木炭セットから影響を受けないように、それぞれ特性の違う木炭セット構成物それぞれの特性を壊さないように、木炭セットとして袋に封入し、その順番を固定する方法において、
木炭セットを封入した、袋の一番下においた炭化藁灰は消し炭あるいは端（粒）炭が混入した場合でも空気の入った袋に封入しその上に封入した複数の柱状木炭に粉砕されないよう、次に束ねあるいは縛った複数の柱状木炭はそのままあるいは木炭の粉が飛ばないようにまた異臭や湿気を吸引しないように空気入りの袋にあるいは束ねないあるいは縛らない木炭でも動かないように真空の袋に封入し、そして端（粒）炭はバラバラにならないようまた袋等を傷つけないように空気入りあるいは真空の袋に封入し、消し炭は粉砕されないように空気入りの袋に封入し、封入の順番を固定する方法。
【請求項２】
木炭セットを封入した袋が樹脂製である場合の木炭セットの順番を固定化する方法において、
木炭セットを封入した袋を真空化して封入した構成物の順序を固定化し同時に輸送容量を減少させる方法。
【請求項３】
木炭は、皮の部分のカリウムが他の部分より多く、燃焼しやすい。
複数の似た形状の柱状木炭を束ねるとき、柱状木炭の燃焼を容易にする方法において、
木炭の皮の部分を、木炭の束の内側に向けて束ね、その皮の部分にできた隙間を、柱状木炭の上に乗せた消し炭に火がついたとき、上昇気流の通り道に使用する、また柱状木炭の根元の消し炭に火がついていれば、上昇気流がより激しくなるが、その木炭の皮の部分を上昇気流が起きる束の中にできる隙間に面してセットし固定する方法。
【請求項４】
複数の柱状切炭を使用し束ねるとき、柱状木炭の燃焼を容易にする方法において、
木炭の皮の部分を束ねた複数の柱状切り炭の内側に向けるとき、柱状切り炭を容易に固定化出来ないとき、上昇気流が通る隙間とは反対側の束の外側をむく面に端（粒）炭をあてがって、複数の柱状切り炭を安定化し固定化する方法。
【請求項５】
木炭セットを木炭ストーブや木炭炬燵の炉に一つあるいは複数の木炭セットを安定的にセットする方法において、
丸・角・楕円等の木炭セットの寸法に見合った金枠環を炉にセットするとき、灰の上に出た金枠環と同時に、灰の中にも、別途個別に、金枠環をセットする方法。
【請求項６】
木炭セットを木炭ストーブや木炭炬燵の炉に一つあるいは複数の木炭セットをより安定的にセットする方法において、
灰の上にセットした及び灰の中にセットした２つの金属環をつなげ一つの構造物とし、一つは灰の上に出た金枠環で木炭セットを安定的にセットすると同時に、もう一つは灰の中に埋めた金枠環で木炭セットのより安定的なセットを可能にする方法。
【請求項７】
複数の柱状木炭の内側の隙間の部分に上昇気流を起こさせ燃焼を容易にする方法において、
灰の上に出た金枠環及びその金枠環を支える足の部分を中空とし、同時に灰の中にセットした金枠環を中空として、炉にあけた孔を通った外部から空気供給管により、空気を両方の中空の金枠環あるいはまた足の部分にも供給する。灰の上に出た金枠環は木炭セットに向いたところに一つあるいは複数の通気口をあけ自然通風あるいは鞴等による強制通期で木炭セットに空気を供給する。灰の中の金枠環及びあるいは足の部分には、灰が空気口を詰まらせぬように横或いは斜め下方あるいは下方に向けて空気口を設け、外部から空気を、金枠環を通して、自然通気あるいは鞴等により強制的にかつ灰が舞い上がらない程度で、灰中の木炭セット下部に空気を供給する。そして木炭に十分火が付いた後は空気供給管に栓をし、空気の供給を止める方法。
【請求項８】
木炭セットを炉にセットし燃焼するとき、木炭は、薪やペレットほど激しく短時間には燃えない。そこで木炭ストーブや木炭炬燵の炉で燃焼する木炭から発生する熱量を有効に利用し、木炭のゆっくりとした燃焼により発生する熱を有効に利用する方法において、
木炭ストーブや木炭炬燵の表面に熱放散を有効にするため凹凸や設けることだけではなく、木炭ストーブや木炭炬燵の上に、人が足を置く程度の強度を持った傘状の板あるいは平板を設け、その傘状の板や平板の下の木炭ストーブや木炭炬燵の胴の部分に穴をあけあるいは複数の支えにより傘状の板や平板を支えつつ開放部を設けて、炉の木炭セットから上方に向けて発する熱流を横方向に広く四方に流し、熱を有効に利用し、木炭ストーブに煙突を必要とする場合は、傘状の板あるいは平板で遮られ、内側の胴体の穴あるいは開放部の部分から出た熱流を、ストーブの外側に設けた外部胴体で受け止め、その流れを変え、それから煙突に排気する方法
【発明の詳細な説明】
【技術分野】
【０００１】  本発明は、木炭と端（粒）炭と消し炭及び炭化した状態の藁灰（炭化藁灰）を一つのセットとして保持する方法とそれを焚く木炭ストーブ及び木炭炬燵に関する。
【背景技術】
【０００２】  伝統的な木炭を焚く手法は、火が付きやすい順番に、まず消し炭に火をつけそれを木炭の塊よりも比較的表面積の大きい端（粒）炭に火を移し、次に火のついた消し炭及びあるいは端（粒）炭を炭化藁灰の中に置いた木炭の上及びあるいは木炭の比較的カリウムの多い皮の部分（木炭化する前の木材の皮）に置き、木炭に火を移す。木炭が十分火が付いたところで炭化藁灰をかけ、期待する暖の程度に応じ火のついた木炭の一部を炭化藁灰から露出する。炭化藁灰は火のついた炭と一緒であれば燃料として燃え白い灰になる。炭化藁灰は白い灰と違い目が粗く空気を保持しており、火のついた木炭を空気から遮断すると同時に火のついた木炭に炭化藁灰中の限られた空気を徐々に供給し、木炭の燃焼を制御する。そのため炭化藁灰で囲まれた木炭はゆっくりと安定的に燃焼する。同時に一酸化炭素の発生を抑制する効果を有する。現在は、炭化藁灰の代わりに、珪藻土、木灰（きばい）あるいは木灰と珪藻土の混合物が灰として使用されている。これらの灰は、木炭の隙間を埋め木炭の空気と接する表面積を減少させ木炭の燃焼を押さえる。また、灰中の空気の保有分が少なく、灰の温度が低いと、火が付いた木炭も、立ち消えが起きることがある。しかし、都会では多量の木炭の販売場所も限られ、藁のみならず炭化藁灰や消し炭を入手することは難しい。【０００３】  一方、木炭を室内で燃焼する機器としては、伝統的に使用されてきた堀炬燵、囲炉裏、火鉢が一般的ではあるが、現在はあまり使用されておらず、また屋内で使用されるテーブルあるいは机で使用できる木炭炬燵や、木炭ストーブは非常に少ない。従い、使用する場合は新たに開発する必要がある。電気炬燵以外に、テーブル用炬燵が開発され販売されているが、燃料に豆炭を使用したカセットをテーブルの裏にセットしたものである。バイオマス燃料使用のストーブは薪やペレット使用が一般的であるが、木炭利用を目的として製造されたストーブは希少である。ただ、薪ストーブで薪を燃焼させ、燃焼後火がついた炭化の状態にあるとき、赤熱した炭の上に木炭を追加し、木炭ストーブとして使用することは可能である。なお木炭を屋内で使用する場合、特に木炭に着火するとき、比較的多くの一酸化炭素が発生し、密閉した空間では一酸化炭素中毒が心配されるが、平成１３年度に施行される建築基準法第２８条２項により、設置基準が示され、室内空気を２時間で一回入替可能とするように規定されている。一酸化炭素のセンサーも開発され、機械式の換気装置も設置可能であり、木炭を室内で使用する環境が整備された状況にある。
【先行技術文献】
【特許文献】
【０００４】
【非特許文献】
【０００５】
【非特許文献１】特願２００６−２４８８８５（Ｐ２００６−２４８８８５）
【発明の概要】
【０００６】  多くの人が木炭に火をつける方法を知らず、また洋間や畳の日本間で木炭を燃焼させる機器を持たない。そこで、炉で木炭を燃焼させる日本の伝統的な燃焼方式で使用される、炭化藁灰、複数の柱状木炭、端（粒）炭、消し炭を使用するとき、消費者がそれらをいちいち作り、準備し、炉に個別にセットするのではなく、木炭の生産地で炉にセットする順序で一つの袋に封入して木炭セットとして消費者に直接届ける技術及びその木炭セットを燃焼させるための炉を使った木炭ストーブや木炭炬燵の発明。
【発明が解決しようとする課題】
【０００７】  現状の木炭の燃焼はコンロやバーベキューで使用されるが、灰は一般的に使用されていない。お茶とともに「おすみ」で木炭を焚く場合、珪藻土あるいは木灰、または珪藻土と木灰を混合した灰が使用される。本発明は、日本の家庭が長く使用してきた木炭の燃焼方法も、木炭の火のつけ方も知らない消費者が容易に木炭を使用出来るようにして、日本間や洋間でも使用可能とし、自然（新）エネルギーの使用量を増やし、化石燃料の使用量の削減を図ることを可能とする。そのため、それぞれ性質の違う、炭化藁灰、束ねあるいは縛った複数の長さが５〜１５ｃｍ程度の柱状木炭、木炭を作る際に出た端（粒）炭や、例えば木の枝でつくった消し炭を、木炭を燃焼させる順序でセット化、そしてそれぞれの特性を生かすような形で袋に封入、それぞれの順序が動かないようにセットして、消費者が容易に着火することが出来る、一つの袋に封入した木炭セットを提供する技術にある。【０００８】  日本間や洋間で使用できる木炭ストーブや木炭炬燵を、新たに開発製造し、それらの内部に設置した炉に上記の木炭セットを容易にセットし、容易に火をつけることが出来、畳敷きの日本間や、絨毯敷きや板の間の洋間でも使用可能とする。
【課題を解決するための手段】
【０００９】  本願発明は、炭化藁灰、束ねあるいは縛った複数の柱状木炭、複数の端炭、複数の消し炭を炉にセットする順番に従い、木炭セットとして封入用の袋に封入し、炉でセットする順序にセットする方法において、
実際にストーブや炬燵の炉で木炭を燃焼させる時、炉には炭化藁灰・複数の柱状木炭、端（粒）炭・消し炭の順序でセットするが、木炭セットを封入用の袋に封入する時、下部から上部に向けて、炉にセットする順番に従い、性質の違う、炭化藁灰あるいは消す炭とか時に端（粒）炭を混ぜた炭化藁灰、複数の柱状木炭、複数の端（粒）炭、複数の消し炭、炭化藁灰の順序でセット化して、順序が動かないようにして、同一の袋に封入することを特徴とする。
木炭セットを封入する袋に、性質の違う木炭セットの構成物である炭化藁灰、複数の柱状木炭、複数の端炭、複数の消し炭を封入する時、輸送時やハンドリング時にそれぞれが振動等により、また輸送時に他の木炭セットを封入した袋との接触により、あるいはまた木炭セット封入用の袋を真空化した時、木炭セットの構成物のそれぞれが固有の特性を失わぬようにあるいはそれぞれの使用目的を保持するため、下記の一部あるいは全てを採用することにより木炭セット封入用の袋に順序に従い封入し、順序が動かないようにすることを特徴とする。【００１０】  木炭セット封入用の袋の一番下の炭化藁灰は、消し炭や端（粒）炭を混入させた場合も含め、炭化藁灰の上に置かれる柱状木炭の重量や振動により、粉砕されないように空気の入った個別の袋に封入する。
なお袋の下部の炭化藁灰と複数の柱状木炭の束の間に、下部の炭化藁灰に消し炭とか時に端（粒）炭を混入しない場合、別途消し炭や端（粒）炭を置くことも可能である。
炭化藁灰の上に置かれる複数の柱状木炭は、輸送中及びハンドリング中にそれぞれが勝手に動かぬように、糸あるいは紐、紙テープ、バンドル、幅広のセロファンとか、あるいは紙で巻き、束ねあるいは縛る。この束ねあるいは縛った木炭から木炭の粉が飛ばぬように袋に入れる。あるいはまた束ねあるいは縛る代わりに真空パックに入れ、順序が動かないようにするとともに木炭の粉が周囲に飛ばないようにすることも可能である。
複数の柱状木炭を束ねる時、木炭の内部よりもカリウムが比較的多く含み燃えやすい木炭の皮の部分を、束ねた木炭の内側に向くように束ね、木炭間の隙間を作り、木炭の上あるいは上下の消し炭そして端（粒）炭に火がついたとき上昇気流が起きるようにして着火を容易にする。
柱状木炭の上に置いた端（粒）炭は、散らばらないように空気入りあるいは真空化した袋に入れる。
その上においた消し炭は、柔らかいので、粉砕されぬようにまた散らばらないように空気の入った袋に入れる。
木炭に火が十分ついたあと、全体を覆う炭化藁灰は、木炭セットの封入用の袋の一番上に、空気の入った袋に入れて封入し、藁灰が粉砕されないようにする。
さらに、輸送時の容積を小さくし輸送効率を上げることを目的に、木炭セットの封入用の袋を真空化することも可能である。
そして、煙や異臭が出ても煙突のあるストーブで使用する場合は、中身を取り出さず袋に木炭セットを封入したままストーブ炉にセットし燃焼出来ることを特徴とする。
なお、木炭セットの封入用の袋は上下が一目瞭然に分かるように、袋に「上」「下」とか、あるいはそれ以外に上下が分かるような印をつけ、袋から上記内容物を順番通りに取り出せるように、袋の下部に袋を開くための切欠きを設けることを特徴とする。
なお、束ねた複数の柱状木炭の上下に置いた端（粒）炭、消し炭、炭化藁灰を、束ねた複数の柱状木炭に対し、対称に、ほぼ同じ形態で、木炭セットの袋に袋詰めにすれば、袋の「上」「下」を区分けする必要はなく、袋の上下に切かけを設ければ、袋のどちらからでも木炭ストーブ及び木炭炬燵の炉にセット出来ることを特徴とする。【００１１】  本木炭セットを木炭ストーブや木炭炬燵にセットするとき、この木炭セットを容易に固定できる金属の円形あるいは角状の金枠環を、その金枠環を支える金属の足部を灰の中にセットし、金枠環が灰の上に出る形でセットすることで、木炭セットを固定することを特徴とする。
同時に、木炭セットのセットを確実にするため、別途灰中にも金枠環をセットすることを特徴とする。灰の上にセットした金枠環を支える足と灰の中にセットした金枠環を連結することも可能であるし、それぞれの金枠環を分離して、個別に炉にセットすることも可能である。
さらにこの金枠環の管の中を中空として、木炭セット側のところどころに孔をあけ、その中空の金枠環に外部からの空気供給管を接続することで、セットした木炭セットに空気を供給することが出来ることを特徴とする。
コンロの場合はコンロの下部から空気を送風し上昇気流を積極的に生むことが可能であるが、灰を利用した炉では、灰をまきあげることなく、灰中に送気することは難しい。そこで、木炭の燃焼を促進するため、通常は灰の内部から木炭に空気を十分に送気できないが、新たに灰の内部に向けて外部から空気供給管をセットし、灰中にセットされた円形あるいは角型の金枠環に接続し、その金枠環に一つあるいは複数の通気口を設け、束ねた木炭の上部の着火した消し炭や端（粒）炭の熱によって発生する上昇気流や、束ねた木炭の内側の隙間に落ちた或いは置いた火のついた消し炭や端（粒）炭による熱で、木炭間の隙間に発生する上昇気流の発生を、灰の中から緩やかな通気により、容易にすることを特徴とする。
この時、炭化藁灰を使用していれば、炭化藁灰の密度は珪藻土を使用した灰や木灰よりも低く、自然通気でも、炉の外部に通じた空気供給管から、金枠環に設けた一つあるいは複数の通風口を通し、炉内部の炭化藁灰中に空気を容易に送ることが可能であり、必要に応じて炉の外部から鞴などを使用し、強制通気により空気を灰中に送り込み、複数の柱状木炭の束の内側を上部に向けて起きる上昇気流を強めることにより、容易な燃焼を可能とする。
木炭の発火時に一酸化炭素の発生が比較的多いが、２つの金枠環のセットにより、一酸化炭素の発生を抑制することを特徴とする。
同時に、十分に木炭が着火した後は、これらの送気管のストーブや炬燵の外部に出た入り口の部分で栓が出来、外部の空気が内部に流入することを遮ることが出来ることを特徴とする。
【発明の効果】
【００１２】  本願発明によれば、袋に封入した木炭セットの順序で、木炭セットを容易に、炉に設置した２つの金枠環を使いセットでき、灰の中の通気環に、外部から送気された空気を利用することにより、消し炭への着火から柱状木炭の束の内部の隙間を通した上昇気流を強めることにより、木炭の燃焼が容易になる。十分着火したのちは、袋の最上部に封入した炭化藁灰を使い木炭の上部を覆うことにより、木炭の燃焼を制御し、室内あるいは炬燵内の温度制御や一酸化炭素の発生を制御することが可能になる。すなわち炭化藁灰による木炭の覆い方により温度調節を行う。
木炭ストーブや木炭炬燵の炉で木炭セットを燃焼したとき、燃焼した熱を有効に使うため、発生した熱流をそのまま、木炭ストーブや木炭炬燵の上部から放出するのではなく、木炭ストーブや木炭炬燵の上部に傘型の板や平板を置き、上昇流を遮り木炭ストーブや炬燵の横方向に回す。熱の通り道を増やしまた熱を横方向に流すことにより、熱の有効利用を図る。木炭ストーブや木炭炬燵の炉の内部に火種が残り、そこに木炭セットを追加し継続使用するとき、継続した木炭セットの下部の炭化藁バイを利用し、最初使用していた木炭の残った種火の燃焼制御をすると同時に継続使用した新たな木炭セットへの着火に利用することが出来る。
【図面の簡単な説明】
【００１３】
【図１】実施例１で藁灰、木炭、端（粒）炭、消し炭の木炭セットの概略構成図
【図２】上から見た２つ割り木材から製造した切り炭の束ねた木炭の概略図
【図３】上から見た４つ割り木材から製造した切り炭の束ねた木炭の概略図
【図４】木炭ストーブの概略構成図
【図５】上昇熱流の方向を下方に変える傘型の板を設置した木炭ストーブの概略断面図
【図６】上昇熱流の方向を下方に変える傘型の板を設置した煙突付木炭ストーブの概略断面図
【図７】木炭ストーブや炬燵で炉に木炭セットをセット出来、同時に空気を供給する金枠環と空気供給管の概略構成図
【発明を実施するための形態】
【００１４】  本発明の実施例を図１、図２、図３、図４、図５、図６及び図７を用いて説明する。
【実施例１】
【００１５】  図１は、本発明の第一実施例に係る木炭セットの概略構成図である。
本例で示す木炭セットは、木炭セットの構成物を炉にセットする順番に従い封入した袋１に、下段から、炭化藁灰２と封入した袋７、糸あるいは紐、紙テープ、バンドル、幅広のセロファンとか、あるいは紙で巻き束ねあるいは縛った、複数の長さが５〜１５ｃｍ程度の柱状木炭３と封入した袋８、端（粒）炭４と封入した袋９、消し炭５と封入した袋１０、及び木炭に十分火がついたところで木炭全体を覆う炭化藁灰６と封入した袋１１の順番で、それぞれが入り乱れぬように、封入した順序を固定化する効果を持たせ、同一の袋１に袋詰めたものであり、この順番は木炭ストーブや炬燵に木炭をセットするときの順番である。
袋１に封入した構成物の性質に影響を与えないようにして袋１の体積を真空化して、袋１の体積を減少させ輸送効率を上げることが出来る。【００１６】  袋１の下段の炭化藁灰２は、消し炭や端（粒）炭を混入させた場合も含め、束ねた複数の柱状木炭３の振動により、また輸送時の他の袋から受ける圧力で、粉砕され微粒化し炭化藁灰の有する特性や効果を減少させあるいは失わないようにするために、個別に空気の入った袋７に入れ木炭セットの構成物として木炭セット用の袋１に封入することが可能である。【００１７】  この袋１に詰められた複数の柱状木炭３は輸送時及びハンドリング時それぞれが個別に動き振動しないように縛りあるいは束ねる。あるいは、木炭粉が飛び散らないように袋８に封入することも可能であるし、あるいはまた木炭が個別に動き振動しないように縛りあるいは束ねる代わりに真空化した袋８に封入することも可能である。木炭を真空化した袋８に入れ、輸送時あるいはまた異臭や湿気を吸い込まないようすることも可能である。そして木炭セットの一つの構成物として木炭セット用の袋１に封入することが出来る。【００１８】  木材から木炭を作る時、木材を通常、割らないで作る丸炭、切り炭では、２つに割る、４つに割る、８つに割る、時に６つに割る形で木炭化する。
図３と図４は、２つ割り及び４つ割りの切り炭の皮の部分を束の内側に向けて束ねた時の、束ね方を上から見た柱状木炭１３及び１５の形状例の概略図を示す。
木炭は、木炭の内部よりも、木炭の皮の部分のカリウムが比較的多く燃えやすい。そこで柱状木炭３を束ねあるいはまた縛るとき、柱状木炭３のそれぞれ皮の部分１２を、束ねた木炭の内側に向くように束ね、木炭間の隙間１４および１６を作り、柱状木炭３の上の消し炭そして端（粒）炭に火がついたとき、柱状木炭３の隙間１４及び１６で、下部から上部に向けて上昇気流が起きるようにして、着火を容易にする。なお木炭の下部に着火した消し炭あるいはまた端（粒）炭があると、隙間１４及び１６での上昇気流はより活発になる。
それぞれの木炭の形状に大きな相違がある場合は、それぞれの木炭の皮の部分を、複数の柱状丸炭の束の内側に向けて束ねあるいはまた縛り、柱状木炭の皮の部分に隙間を作る。束ねあるいは縛るのが難しいときは、束ねた柱状木炭の外側の凹の部分に端（粒）炭を詰め束ねあるいはまた縛り、同じ効果をもたらすことも可能である。【００１９】  端（粒）炭４は、硬度があり、必ずしも袋詰めする必要はないが、ばらばらにならないように、また木炭セットを封入した袋１等を傷つけぬようにして、取り扱いを容易にするため、まとめて空気が入った状態であるいは真空にして、袋９に詰め、木炭セットの一つの構成物として木炭セット用の袋１に封入することが出来る。【００２０】  比較的柔らかな消し炭５は、輸送中やハンドリング中に、下段の複数の柱状木炭や端（粒）炭の振動や、外部の別の木炭セットの袋からの圧力により、粉砕されないように、個別に空気の入った袋１０に詰めてから、木炭セットの一つの構成物として木炭セット用の袋１に詰めることが出来る。【００２１】  木炭セットの袋１の上部に詰めた炭化藁灰６は、束ねた複数の柱状木炭３が炉で十分に着火した後、束ねた柱状木炭３を覆うために使用する。この時、炭化藁灰６が袋１の内部に四散しないようにする必要があり、同時にこの炭化藁灰６が粉砕されないように空気を入れた袋７の内部に詰める。そして木炭セットの一つの構成物として木炭セット用の袋１の一番上に封入する。【００２２】  木炭セットを封入した袋１に詰めた内容物を、順番通りに炉１７にセット出来るように取り出すため、袋１の上下関係を間違えないようにするため、袋１の上下に「上」「下」と記載し、あるいは他の判別可能な印を記載する。さらに、袋１のあけ口の位置を明示し、取り出し口の袋１の下部に袋１を容易に開くことの出来る切り取りを設け、そこから袋１を開き、袋１の下部から、炉１７の珪藻土あるいは木灰あるいはそれらの混合物の灰の上に、袋７の内容物である炭化藁灰２あるいは炭化藁灰と消し炭とまたは端（粒）炭を混ぜたものを置き、その上に袋１の内容物である束ねたあるいはまた縛った複数の柱状木炭３をセットし、その上に端（粒）炭４、一番上に消し炭５を、袋１に詰めた順番に順次セットする。なお、束ねた複数の柱状木炭２を中心に封入するとき、上下対称に端（粒）炭、消し炭、炭化藁灰を置くことも可能であるが、その時は袋１を開ける位置に関し上下の区別の明示は必要なく、袋１を開くための切り口を上下に設けることで対応できる。【００２３】  煙や臭気が出ない袋や束ねるテープなどを使用しているときは、燃焼中の木炭ストーブや木炭炬燵の炉に続けて新たな木炭セットの袋を継続して設置し燃焼を継続することが出来、煙や臭気が出る袋や束ねるテープなどを使用するときは、煙突のない木炭ストーブや木炭炬燵を使用する場合、木炭セットを袋から出し炉１７に順次セットするものとし、煙突のある木炭ストーブを使用している場合は、続けて木炭セットの袋をそのまま入れ燃焼を継続することが可能とする。
【実施例２】
【００２４】  図４、５、６は木炭ストーブの概略構成図である。木炭セットを木炭ストーブや木炭炬燵にセットするとき、この木炭セットを容易に固定できる金属の円形あるいは角状の金枠環２８を、その金枠環２８を支える金属の足３０を灰の中にセットし、金枠環２８が灰の上に出る形でセットすることで、木炭セットを固定する。同時に、木炭セットのセットを確実にするため、灰中に金枠環３１をセットすることを特徴とする。灰の上にセットした金枠環２８を支える足３０と灰の中にセットした金枠環３１を連結することも可能であるし、それぞれの金枠環２８と３１を分離して、炉に個別にセットすることも可能である。【００２５】  炉１７での木炭の着火を容易にするため、木炭ストーブや木炭炬燵内に設置した炉１７内に、炉１７及びあるいはストーブや炬燵の胴体２１の外部から空気を、炉１７内に入れ、灰の上に出た木炭セットや、灰中に空気を供給できるようにする必要がある。そこで図には示していないが、炉１７及び木炭ストーブ及び木炭炬燵の胴体２１に空気を送る空気供給管を通す孔を一つあるいは複数あけ、そこに空気供給管２９及び３２を通し、炉１７内に外部から空気を送ることを可能にする。
灰の上にセットする中空の金枠環２８は、炉外につながる通気管２９から空気３３が供給され、中空の金枠環２８に一つあるいは複数あけられた孔から、必要に応じ、自然通気あるいは外部に設置された鞴で、強制的に空気３３を、木炭セットに供給できる。
また、木炭セットを、灰の上にセットした金属環２８とあわせ、より安定的にセットすることを可能とするため、中空の金属環３１を灰の中にセットする。この時、炭化藁灰中に通気を十分に行うことが出来るようにするため、空気供給管３２により、炉外部の空気３４を灰の中にセットされた金枠環３１に通気する。金枠環３１には、灰が中空の金枠環中にあまり入らぬように、横向きあるいはななめ下方あるいは下方に向いた一つあるいは複数あけられた通気口から、灰をまきあげないように炭化藁灰中に自然通気や、鞴等を利用した緩やかな強制通気を可能とし、束ねた複数の柱状木炭の隙間に向けて炭化藁灰中から上昇気流用の空気として空気３４を供給する。
【実施例３】
【００２６】  図４、５、６は木炭ストーブの概略構成図である。
木炭はゆっくり燃焼し、さらに木炭の燃焼を炭化藁灰で制御できることを特徴とする。そのため、煙突の有無にかかわらず木炭ストーブであるいは木炭炬燵で発生した熱量を、有効に利用する必要がある。そのため、木炭ストーブに煙突の無い場合は、炉１７で木炭を燃焼した結果、発生する上昇熱量２３をそのまま真っ直ぐ上に向けて排出するのではなく、木炭ストーブにかぶせた板状の傘２２あるいは平板により、上昇熱流２３の方向を下方あるいは横方向２４に方向転換を図り、熱流の拡散を図り、熱の有効利用が出来る。なお傘状の板２２あるいは平板は、ストーブの胴体２１に、ストーブから外部に通じる穴を設けあるいは開放部を設けた複数の支え２５により支えられる。なお、木炭炬燵も同じ構造をとることが可能であり、傘状の板あるいは平板の上に足をのせることが可能である。また、煙突のある場合は上昇熱流２３を煙突１９に直接流すのではなく、木炭ストーブの胴体２１に設けられたストーブから外部に通じる穴を設けあるいは開放部を設けた複数の支え２５の上に設けられた傘状の板２２あるいは平板により、一旦下方あるいは横方向２４に方向転換する。さらに胴体２１の外側に設けた胴体２７により、熱流を煙突１９の方向に、熱流２６として、方向を変え外部に排出する。熱流経路を長くして、木炭から出る熱量の有効利用を図る。
また、煙突付木炭ストーブの場合、扉１８を開き、炉１７で燃焼させた木炭の燃焼熱量を使い、料理棚２０をセットし、その上で料理をすることも可能である。
【産業上の利用可能性】
【００２７】  本発明は、木炭を木炭セットとして一般消費者での使用を容易にし、さらにその木炭セットを使用し、畳敷き和室や洋間で、木炭ストーブや木炭炬燵の使用を可能にすることにより、日本の６次産業（１次産業、二次産業及び三次産業の相乗効果を狙った産業）を発展させる。
【符号の説明】
【００２８】１・・・木炭セットを封入した袋、２・・・袋の一番下に封入した炭化藁灰、３・・・束ねあるいは縛った複数の柱状木炭、４・・・端（粒）炭、５・・・消し炭、６・・・袋に入れた柱状木炭が着火後柱状木炭全体を覆う炭化藁灰、７・・・木炭セットを封入した袋の一番下段に封入した炭化藁灰を入れた袋、８・・・柱状木炭を封入した袋、９・・・端（粒）炭を封入した袋、１０・・・消し炭を封入した袋、１１・・・柱状木炭が着火後柱状木炭全体を覆う炭化藁灰を入れた袋、１２・・・柱状木炭の皮の部分、１３・・・２つ割りの柱状木炭、１４・・・２つ割り柱状木炭の皮の部分が面する隙間、１５・・・４つ割りの柱状木炭、１６・・・４つ割りの柱状木炭の皮の部分が面する隙間、１７・・・木炭セットをセットする炉、１８・・・木炭ストーブの扉、１９・・・木炭ストーブの煙突、２０・・・木炭ストーブ内の料理棚、２１・・・木炭ストーブ胴体、２２・・・木炭ストーブの上部にセットした傘状の板、２３・・・木炭からの上昇熱流、２４・・・傘状の板２２によって方向転換した熱流、２５・・・ストーブの胴体内部から外部に通じる穴を設けあるいは開放部を設けた傘状の板の複数の支え、２６・・・煙突への熱流、２７・・・木炭ストーブの外側の胴体、２８・・・炭化藁灰の外に出た中空の金枠環、２９・・・炭化藁灰の外に出た中空の金枠環２８に連結した空気を供給する空気供給管、３０・・・炭化藁灰の外に出た中空の金枠環を支える足、３１・・・炭化藁灰中に設置された炭化藁灰中に空気を供給する中空の金枠環、３２・・・炭化藁灰中の中空の金枠環３１に外部の空気を供給する空気供給管、３３・・・空気供給管２９を通して炭化藁灰の中の中空の金枠環２８に供給される空気、３４・・・空気供給管３２を通して炭化藁灰の中の中空の金枠環３１に供給される空気
【図１】
2013147625.tif 000003
【図２】
2013147625.tif 000004
【図３】
2013147625.tif 000005
【図４】
2013147625.tif 000006
【図５】
2013147625.tif 000007
【図６】
2013147625.tif 000008
【図７】
2013147625.tif 000009